(57)【要約】【課題】カメラボディの小型化を図ること。【解決手段】フィルムを収納するフィルム収納室を形成する壁を、ボディ本体と、撮影レンズを保持するための鏡筒保持手段と、そして少なくともフィルム給送用のギアを保持するための保持部材、ファインダ保持部材、ストロボ保持部材のいずれか一つとで構成したこと。【選択図】　　　　図１
2004020922.tif 000002
【特許請求の範囲】
【請求項１】
フィルムを収納するフィルム収納室を形成する壁が、上面部、下面部及び側面部で一体成型される一方で前記フィルム収納室の前面に開口が形成されているカメラボディ本体構造において、撮影レンズを保持するための鏡筒保持部材に前記開口の少なくとも一部を覆う壁部を形成するとともに、前記鏡筒保持部材を前記カメラボディ本体に固定保持するための鏡筒保持部を、前記フィルム収納室前側で、かつフィルム収納室の上面部または下面部より外側に突出しない範囲に設けて配置したことを特徴とするカメラ本体ボディ構造。
【請求項２】
フィルムを収納するフィルム収納室を形成する壁を、ボディ本体と、フィルム給装用ギア保持手段及び撮影レンズを保持するための鏡筒保持手段により構成したことを特徴とするカメラ本体ボディ構造。
【請求項３】
フィルムを収納するフィルム収納室を形成する壁面を、ボディ本体と、ファインダ保持手段及び撮影レンズを保持するための鏡筒保持手段により構成したことを特徴とするカメラ本体ボディ構造。
【請求項４】
フィルムを収納するフィルム収納室を形成する壁面を、ボディ本体と、ストロボ保持手段及び撮影レンズ鏡筒保持手段により構成したことを特徴とするカメラ本体ボディ構造。
【請求項５】
請求項１から請求項５において、前記ボディ本体の側面部がカメラ外周に対して前記フィルム収納室内側に食い込む形状をしていること特徴とするカメラ本体ボディ構造。
【請求項６】
請求項１から６において、前記フィルム収納室は、フィルムを巻上げるスプール室であることを特徴とするカメラ本体ボディ構造。
【請求項７】
請求項１から６において、前記フィルム収納室は、撮影フィルムパトローネを収納するパトローネ室であることを特徴とするカメラ本体ボディ構造。
【請求項８】
請求項１から８において、前記ボディ本体の壁をカメラ外周に対して前記フィルム収納室内側に食い込ませた形状のカメラ外周部に、カメラの背蓋を本体に対して開閉させるための背蓋固定解除部材を配置したことを特徴とするカメラ本体ボディ構造。
【発明の詳細な説明】
【０００１】
【発明の属する技術分野】
本発明は、カメラ本体のボディ構造に関するものである。
【０００２】
【従来の技術】
従来より、ボディ等のカメラの構成部品はプラスチックモールド成形によって形成されている。図１５、図１６に従来例を示す。カメラの撮影フィルムを写真撮影毎に巻き込むスプールを収納するスプール室１０ａがある。ボディ本体１０は前述したようにプラスチックモールド成形するわけなので図１６の状態で上下に型が抜けなければならない。前記スプール室１０ａも同様であり、図１６中の矢印方向に型が抜ける。そのためスプール室の側面の壁１０ｂ、１０ｃは図示するように前後にほぼストレート形状になるのが一般的である。
【０００３】
また、このボディ本体１０に対して撮影レンズ鏡筒を取り付けるわけであるが、その場合撮影レンズ鏡筒を保持する撮影レンズ鏡筒保持手段をボディ本体に固定する場合、通常４箇所ビス締めするのが一般的である。その場合主に正面から見て左上、左下、右上、右下に配置する。図１５の場合も４箇所撮影レンズ鏡筒被保持手段であるビス受け１０ｅが配置されている。この場合ではフィルム収納室の前面が閉じた状態なので、ビス受け１０ｅはこのフィルム収納室の前面に対しても自由に配置できる。
【０００４】
またこの構成にすると、撮影フィルムはスプールに対して円柱状に巻きつくが、その円柱に対して外側部分１０ｄはデッドスペースとなり機能できないスペースが生じてしまう。
【０００５】
もう一つの従来例として特開平９−２０３９４３号公報がある。カメラ本体のフィルム収納室前面を開放させており、その開放された部分全てを撮影レンズ鏡筒の鏡筒ハウジング部で覆っている。このようにすると撮影レンズ鏡筒の型が複雑になり、その加工時間も長くなる。
【０００６】
また、この場合フィルム収納室の前面が開口形状になるため、撮影レンズ鏡筒保持手段をボディ本体に固定する撮影レンズ鏡筒被保持手段であるビス受けを配置する場所が規制される。特にフィルム収納室前面には配置できないことになる。そこで従来では、この場合鏡筒ハウジング部を本体にネジ等で固定するとき、スプール室の上下左右方向に突出した部分で固定を行ったりするのが一般的である。
【０００７】
【発明が解決しようとする課題】
近年のカメラは小型であってかつ価格が安いものが望まれており、それに適しないカメラは市場性が無い状況になっている。従来のような単純な方法では、前述したように前記デッドスペース１０ｄ（図１６）が空いた状態の構成になってしまい、これ以上カメラの小型化は実現できない。また、前記デッドスペース１ｄにボディ本体の壁面を食い込む形状にすることでスペースの有効利用ができるが、その場合型構造上の問題からボディ本体のフィルム収納室前面を開口形状にする必要がある。
【０００８】
特開平９−２０３９４３号公報のようにボディ本体のフィルム収納室前面を撮影レンズ鏡筒保持手段のみで覆う方法では、撮影レンズ鏡筒の型構成が複雑になってしまう。カメラにおいて撮影レンズ鏡筒の型加工が、カメラ全体の製作日程に大きな影響を与えている。近年では製品のサイクルはますます短くなり、カメラの開発日程においても短い期間で達成することを求められている。そういう点から考えると撮影レンズ鏡筒の構造はできるだけシンプルで簡単なものが良い。
【０００９】
前述のようにフィルム収納室前面を開口にした場合、その前面を覆う部材をボディ本体に固定するとき、ネジ等で締め付けるのが一般的であるが、その受けをフィルム収納室の外部に突出した所に設けるようにしていた。そうするとカメラの小型化を妨げることになってしまう。
【００１０】
本発明の目的は、上記従来の問題点を解消し、フィルム収納室の前面を開口にした場合、撮影レンズ鏡筒を保持する鏡筒保持手段をボディ本体に固定保持するとき、該ボディ本体と一体に前記鏡筒保持手段を保持する保持部を、フィルム収納室の前面であり、またフィルム収納室の上下左右方向に突出しないようすることでカメラの小型化を達成することにある。
【００１１】
また、フィルム収納室前面に開口を形成してこの開口を鏡筒保持部材と他の部材にて壁を構成してカメラボディの光軸方向の小型化を図ることを目的とする。
【００１２】
また、鏡筒保持手段の型構造を複雑にすることなく、また追加部品を必要とすることなくフィルム収納室内部のデッドスペースを有効なスペースにし、カメラを小型にすることを目的とする。
【００１３】
【課題を解決するための手段】
そして、かかる目的の基に、本願第１発明は、フィルムを収納するフィルム収納室を形成する壁が、上面部、下面部及び側面部で一体成型される一方で前記フィルム収納室の前面に開口が形成されているカメラボディ本体構造において、撮影レンズを保持するための鏡筒保持部材に前記開口の少なくとも一部を覆う壁部を形成するとともに、前記鏡筒保持部材を前記カメラボディ本体に固定保持するための鏡筒保持部を、前記フィルム収納室前側で、かつフィルム収納室の上面部または下面部より外側に突出しない範囲に設けて配置したカメラ本体ボディ構造にある。かかる構成を採用することにより、カメラボディの特に上下方向小型化を図ることが可能となる。
【００１４】
また他の発明はフィルムを収納するフィルム収納室を形成する壁を、ボディ本体と、撮影レンズを保持するための鏡筒保持手段と、そして少なくともフィルム給送用のギアを保持するための保持部材、ファインダ保持部材、ストロボ保持部材のいずれか一つとで構成したことにある。かかる構成を採用することにより、フィルム収納室を鏡筒保持部材と他の部材にて構成することで、カメラの光軸方向の厚さを薄くすることが可能となる。
【００１５】
また、前述の構成の基で、ボディ本体の側面部をカメラ外周に対して前記フィルム収納室内側に食い込む形状にすることで、空きスペースを確保することが可能となり、このスペース部分に他の部品（例えば背蓋固定解除部材）を配置することが可能となる。
【００１６】
【発明の実施の形態】
以下、図１から図１４に本発明の実施例を示し説明する。
【００１７】
まず初めにカメラ全体の構造について説明する。図７から図１３に本発明に関するボディ構造が適用されるカメラを示している。図７は正面図、図８は上面図、図９は下面図、図１０は背面図である。
【００１８】
カメラ本体は、背蓋３２、電池蓋３４、カメラバリア２５を有している。またカメラカバー２２が取り付けられている。背蓋３２及び電池蓋３４は本体に開閉自在に取り付けられている。背蓋３２は背蓋固定解除部材７を操作することにより開状態になる。背蓋３２は手動で本体に収納する方向に回転させ押し込むことにより閉状態になる。電池蓋３４内部にリチウム電池が収納されるようになっている。この電池がカメラ全体の電源となる。
【００１９】
本体の下面には三脚取付部２９が設けられている。また背蓋３２にはフィルム確認窓３５が形成され、直接パトローネ室の撮影フィルムケースを視認できるようになっている。
【００２０】
このカメラには図１１に示すような公知の撮影フィルム給送手段が備えられている。フォークギア４２は撮影フィルムケースの軸と係合して軸と一体に回転可能であり、スプールギア３６にはスプール４（図４参照）が一体で形成されており、その外周に撮影フィルムが巻きつくようになっている。スプールギア３６内部にはフィルムモータ（不図示）が挿入されており撮影フィルム給送駆動手段全体の駆動源となっている。遊星アーム３７と遊星ギア３８によって遊星機構が形成されており、フィルムモータの正転逆転により遊星ギア３８はスプールギア３６またはフィルムギア３９に噛合う。撮影フィルムを巻上げるとき、遊星ギアはスプールギア３６と噛合し、スプール４を回転させることにより行う。撮影フィルムを巻戻すときは遊星ギア３８をフィルムギア３９に噛合させフィルムギア４０、フィルムギア４１、フォークギア４２と動力を伝え回転させることにより行われる。
【００２１】
背蓋３２を開状態にし、撮影フィルムケースをカメラ本体内部に収納し背蓋３２を閉状態にすると、背蓋３２の閉信号を検出し撮影フィルムの巻上動作を行う。これをオートローディングといい、例えば撮影画面４駒分撮影フィルムを巻上げ給送して初期状態の撮影可能状態となる。
【００２２】
カメラ下面にはマニュアルリワインドスイッチ３０があり、これの撮影者の押圧操作で撮影フィルムを撮影フィルムケースに巻戻すことができる。カメラ本体の中央部には撮影レンズ鏡筒２１が備えられ、カメラの不使用時はカメラバリア２５によって保護される。カメラ本体の上部にはレリーズスイッチ２７、セルフタイマースイッチ２８が配置されており、前面にはファインダ２４、リモコン２６、ストロボ赤目ランプ２３が配置されている。本体下面にはパノラマスイッチ３１が配置されている。
【００２３】
図１２に撮影レンズ鏡筒の構成図を示す。ズームモータ４３が駆動源であり、ズームギア４４、ズームギア４５、ズームギア４６、ズームギア４７、ズームギア４８、ズームギア４９、ズームギア５０と連結し最終的に撮影レンズ鏡筒２１を駆動することになる。撮影レンズ鏡筒は鏡筒保持手段（部材）３（図３参照）に保持されている。カメラの主電源がＯＮの状態で、ズームスイッチ３３を押すとズームモータ４３が動作させられ撮影レンズ鏡筒２１が駆動することになる。ズームモータ４３の回転方向の正転逆転により撮影レンズ鏡筒２１が繰出し方向に移動したり、収納方向に移動したりする。
【００２４】
図１３は本発明の実施例におけるカメラの要部構成を示すプロック図である。図１３においてマイコンはカメラの各種の動作の制御を行うものであり、内部に時間的なタイミングを計るタイマやカウンタなどの時間制御手段を有している。主電源スイッチはカメラ自体のＯＮ、ＯＦＦを制御し、レリーズスイッチは写真撮影を行うためのものである。ズームスイッチは撮影レンズ鏡筒を繰出し、収納方向に移動させるときに使用する。測距手段は写真撮影時に被写体の距離を計測する手段であり、測光手段は写真撮影時に被写体の光特性を測定する。撮影手段は焦点調節、絞り駆動、シャッタ駆動等を行う。撮影フィルムモータ駆動手段は撮影フィルム給装を行うフィルムモータを駆動する手段であり、撮影レンズ鏡筒モータ駆動手段は撮影レンズ鏡筒を駆動させるズームモータを駆動させる手段である。
【００２５】
次に本発明に関し、カメラの骨格となるボディ本体構造について図１から図５を基にして説明する。カメラのボディ本体１には、撮影フィルムを巻上げるスプール４を収納するスプール室１ｂと撮影フィルムパトローネを収納する撮影フィルムパトローネ収納部１ｃが一体で型抜き形成されている。
【００２６】
カメラのスプール室の壁面はボディ本体スプール室構成部１ａ、撮影レンズ鏡筒を保持するための鏡筒保持手段３及びフィルムギア保持手段２によって構成されている。従来では図１５に示すようにボディ本体の前面はＵ字型にふさがっていたのに対して、本構成ではボディ本体前面は開放されている。これによりスプール室１ｂを成形する型はカメラ前面に対して移動することができるようになる。即ち、ボディ本体のスプール室は図２に示す通り、上面部、下面部、側面部が一体的に成型され、その前面に開口を備えていることになる。
【００２７】
このことから本構成では図１に示すように、ボディ本体に形成されているスプール室１ｂの側面の壁１ａをスプール室内部に食い込ませるような形状を作ることができる。カメラを立方体５で囲ったとすると、その立方体５の内側であり、かつカメラのスプール室外周であるスペース６の分だけボディ本体１は小さくできたことになる。そして本実施例ではこの部分に前述の背蓋開放を実行するための部材等が配置させるようになっている。
【００２８】
図２は図１に示した本体ボディ構造の斜視図である。鏡筒保持手段（部材）３には撮影フィルムをスプール４に巻きつかせるために使用するフィルムスプリング９が固定できるようになっている。背蓋を本体に対して閉じる場合、背蓋を係止することで保持し、背蓋を本体に対して開放するときに係止を解除する背蓋固定解除部材である背蓋ラッチ７を前記スペース６に配置する。また背蓋を係止する方向に保持する背蓋ラッチ保持手段８を図のようにボディ本体１と背蓋ラッチ７の間に配置する。このような構成をとると図３のように前記立方体５の内部に背蓋開閉のメカ機構が配置でき、効率的なスペース利用となるためカメラの小型化に有効である。
【００２９】
鏡筒保持手段（部材）３を前方からボディ本体１に固定するために、更にボディ本体１にはフィルム収納室の前面であり、その上側に鏡筒保持手段３を固定保持するためのビス受けである保持部（ビス穴）１ｄをボディ本体に一体に形成している。この保持部１ｄに鏡筒保持手段をビスで固定する。このようにするとフィルム収納室の前面が大きく開口した場合でも１ｄのようなビス受けの配置を自由に配置することができ、例えばフィルム収納室の上面の更なる外側にビス受けを配置するのに比べるとカメラを大型化せずに済む。このときボディ本体は型構成上図１で示すところの左右方向に型が移動できる構成が望ましいので、ビス受け１ｄは図１の１ｅの範囲に配置する必要がある。実際に１ｄのようにビス受けを作る時には、保持部１ｄの一方の型を図１の左方向へ１ｅの範囲内で抜く一方、他方の型を右方向に抜くことになる。そしてこの時にフィルム収納室上部にパーティングラインと呼ばれる型の痕がつく。
【００３０】
また、図１、図２に示すように、鏡筒保持手段３はスプール室の開口部を塞ぐ遮光壁を構成し、フィルムギア保持手段２とともに、スプール室前方開口を塞いでいる。そして、フィルムギア保持手段２はボディ本体１に対して底面からスライドさせて組み込むようにすることで壁を形成する。この様に、フィルムギア保持手段２もフィルム収納室（スプール室）の前方の遮光壁を構成していることになる。またこの時に図１で分かるようにフィルムギア保持手段２とボディ本体１ａ、及びフィルムギア保持手段２と鏡筒保持手段３との間に外部から光線が侵入しないような適切な段差（インロー）１ｆを形成するように型が作られている。
【００３１】
通常のカメラではレンズ鏡筒を一つのユニットとするが、この場合も鏡筒保持手段３のフィルム収納室前面部分に撮影レンズ鏡筒駆動手段を配置することができ、１ユニットにすることができるので効率的なレイアウトが可能になる。例えば従来のようにフィルム収納室前面の一部がボディ本体で構成され閉じた形状である場合では、そのボディ本体の壁に撮影レンズ駆動手段を配置してもいいが、その場合ユニットにならず、製品作成の時の組み立て製やレンズ調整およびその修理等行う際、不便になってしまう。
【００３２】
さて、図１４に示すように通常フィルム収納室内部に、ユーザーに対してフィルムの先端を引き出す目安を示したシール（フィルム先端シール）４４を貼り付ける事が従来から行われているが、本実施例のようにスプール室１ｂの側壁がボディ本体１に対して食い込み形状になっている場合、フィルム先端シール４４の組付けをボディ本体背面から行うのでは、前述した本体食い込み形状の影響で開口が狭くなるため作業上不便である。さらにフィルム収納室前面の一部が閉じているボディ本体であると、その作業は極めて困難になってしまう。本実施例のようにフィルム収納室前面が完全に開口形状になっていると、図１６で見るところの正面の開口部から容易に組み立てを行うことができる。
【００３３】
また、フィルム収納室内部はその機能上から段差１ｆが少ないほうが望ましい。本実施例では図１に示すように段差１ｆが２箇所に付くことになる。つまり、ボディ本体１ａとフィルム給装保持手段２の段差、および撮影レンズ鏡筒保持手段３とフィルム給装保持手段２の間の段差である。もしフィルム収納室前面の一部がボディ本体で形成されているとすると、少なくともボディ本体との段差が一つ増え３箇所の段差が壁面につくことになる。本発明の構成にするとビス受け部を段差にならない形状（例えばその部分のみ逃げ形状にする）にすれば２箇所の段差で構成できる。
【００３４】
次に図４、図５を基にして第２の実施例を説明する。以上の実施例においては給送ギアを保持部材にて開口を塞いだ実施例を説明した。以下の実施例でストロボを構成する部材にて、壁を構成した例である。
【００３５】
図４はボディ本体１及びファインダ構成手段１１、鏡筒保持手段である固定筒３、ストロボ構成手段（部材）１２を組み込んだ状態の斜視図である。図５は図４の分解斜視図である。図５では、ファインダ構成手段１２に本体前面遮蔽部材１３を一体で形成した例を示している。また、ファインダ構成手段上にストロボ構成手段１２が取り付けられている。この場合もファインダ構成手段１１に一体で形成された本体前面遮蔽部材１３をボディ本体１の上方からスライドで組み込む。そうすることにより本体前面遮蔽部材１２とボディ本体１、及び本体前面遮蔽部１３と撮影レンズ鏡筒保持手段３との間に外部から光線が侵入しないような適切な段差（インロー）を形成することが出来る。
【００３６】
これとは別に、ファインダ構成手段１１とストロボ構成手段１２を分離して、本体前面遮蔽部材１３をストロボ構成手段１２に一体に形成することもできる。
【００３７】
又は本体前面遮蔽部材１３を上下２つに分離し、上側をファインダ構成手段１１またはストロボ構成手段１２、下側をフィルムギア保持手段２にそれぞれ一体で形成することもできる。
【００３８】
鏡筒保持手段３をボディ本体１に組み込むのに本実施例ではビスで締める。ビスによる固定は４箇所にて行い、正面より左側に２箇所、右側に２箇所設けている。本実施例においては、その１つをフィルム収納室前面に配置している。こうすることでビス受けをフィルム収納室の上下左右に突出させるより、カメラレイアウトの自由性が増し、小型化にもなる。例えば本実施例のようにフィルム収納室であるスプール室のすぐ真上にストロボを配置することも可能になる。
【００３９】
具体的にはボディ本体１のスプール室の前面であり、その上面にビスの受けである撮影レンズ鏡筒被保持手段１ｄを一体で形成し、撮影レンズ鏡筒保持手段３に一体で形成されている鏡筒ネジ締め付け部３ｂをネジ１４によって前記鏡筒をビス受けするための保持手段１ｄに締め付けることによりお互いを固定する。
【００４０】
ファインダ構成手段１１をカメラに固定する場合、その固定部材であるビス受けの一部をボディ本体１に固定されている鏡筒保持手段３にビス締めすることにより効率的なレイアウトが可能になる。ファインダ構成手段１１に一体で形成されているファインダネジ締め付け部１１ａを前記鏡筒締め付け部３ｂと干渉しない部分に設けられたファインダ被保持手段３ａにネジ１５で固定する。このような構成をとることによりそれぞれのユニットを固定する被固定手段であるビス受けをボディ本体の上方等にはみださないようにでき、本実施例のようにスプール室のすぐ上面にファインダ構成手段やストロボ等を配置でき、カメラの小型化ができる。
【００４１】
図６は更なる他の実施例を示している。ボディ本体１６にスプール室２０及びパトローネ室１９が一体で形成されている。パトローネ室１９は鏡筒保持手段１８及びボディ本体１６、それに本体前面遮蔽部材１７で形成されている。本体前面遮蔽部材１７はフィルムギア保持手段、ファインダ構成手段、ストロボ構成手段のいずれかで成り立っている。また、本体前面遮蔽部材１７はフィルムギア保持手段及びファインダ構成手段及びストロボ構成手段のいずれか２つ以上で構成されていても良い。
【００４２】
以上のように本実施例の構成を利用することによりコストを増やすことなく、有効なスペースを作り出すことができ、カメラの小型化が達成できしかもカメラレイアウトの自由性が増す。
【００４３】
【発明の効果】
以上説明したように、請求項１の構成を採用することにより、鏡筒保持部材を保持する保持部をカメラボディ本体に形成するともに、この保持部を上面部あるいは下面部より更なる外側に突出し無い個所に設けたので、カメラの小型化（特に上下方向）を図ることが可能となる。
【００４４】
また、請求項２から４の構成を採用することにより、フィルム収納室の壁を鏡筒保持部材、給送ギア保持部材、あるいはファインダ保持部材、あるいはストロボ保持部材のいずれかの組み合わせにて兼用構成したことで鏡筒の小型化（特に光軸方向）を図ることが可能となる。
【００４５】
また、フィルム収納室の側面の壁をフィルム収納室内部に入り込ませるような形状を与えることで、小型化を図りつつボディの側面外周に各種の部品を配置することが可能となる。
【図面の簡単な説明】
【図１】本発明の一実施例におけるカメラのボディ構造を示す図である。
【図２】本発明の一実施例におけるカメラのボディ構造の分解斜視図を示している。
【図３】本発明の一実施例におけるカメラのボディ構造を示す図である。
【図４】本発明の第二実施例におけるカメラのボディ構造を示す図である。
【図５】本発明の第二実施例におけるカメラのボディ構造を示す図である。
【図６】本発明の更なる実施例におけるカメラのボディ構造を示す図である。
【図７】本発明に関するカメラの正面図を示す図である。
【図８】本発明に関するカメラを上から見た図である。
【図９】本発明に関するカメラを下から見た図である。
【図１０】本発明に関するカメラの背面図を示す図である。
【図１１】本発明に関する給送ギアを示した図である。
【図１２】本発明に関し、撮影レンズ駆動鏡筒を示す図である。
【図１３】本発明に関しカメラの電気構成の要部を示すプロック図である。
【図１４】本発明に関し、カメラボディの背面図を示す図である。
【図１５】従来のボディ構造を示した図である。
【図１６】従来のボディ構造を示した図である。
【符号の説明】
１、１ａ　ボディ本体
１ｂ　スプール室
１ｃ　パトローネ室
１ｄ　撮影レンズ鏡筒被保持手段
１ｅ　撮影レンズ鏡筒被保持手段形成範囲
１ｆ　段差
２　フィルムギア保持手段
３、３ａ、３ｂ　撮影レンズ鏡筒保持手段
４　スプール
５　カメラ立方体
６　スペース
７　背蓋固定解除部材
８　背蓋ラッチ保持手段
９　フィルムスプリング
１０、１０ａ、１０ｂ、１０ｃ、１０ｄ　ボディ本体
１０ｅ　撮影レンズ鏡筒被保持手段
１１、１１ａ　ファインダ構成手段
１２　ストロボ構成手段
１３　本体前面遮蔽手段
１４　ビス
１５　ビス
１６　ボディ本体
１７　本体前面遮蔽部
１８　撮影レンズ鏡筒保持手段
１９　パトローネ室
２０　スプール室
２１　撮影レンズ鏡筒
２２　カメラカバー
２３　ストロボ赤目ランプ
２４　ファインダ
２５　カメラバリア
２６　リモコン
２７　レリーズスイッチ
２８　セルフタイマースイッチ
２９　三脚取付部
３０　マニュアルリワインドスイッチ
３１　パノラマスイッチ
３２　背蓋
３３　ズームスイッチ
３４　電池蓋
３５　フィルム確認窓
３６　フィルムスプール
３７　遊星アーム
３８　遊星ギア
３９　フィルムギア３９
４０　フィルムギア４０
４１　フィルムギア４１
４２　フォークギア
４３　マニュアルリワインドスイッチ
４４　フィルム先端シール
【図１】
2004020922.tif 000003
【図２】
2004020922.tif 000004
【図３】
2004020922.tif 000005
【図４】
2004020922.tif 000006
【図５】
2004020922.tif 000007
【図６】
2004020922.tif 000008
【図７】
2004020922.tif 000009
【図８】
2004020922.tif 000010
【図９】
2004020922.tif 000011
【図１０】
2004020922.tif 000012
【図１１】
2004020922.tif 000013
【図１２】
2004020922.tif 000014
【図１３】
2004020922.tif 000015
【図１４】
2004020922.tif 000016
【図１５】
2004020922.tif 000017
【図１６】
2004020922.tif 000018